(57)【特許請求の範囲】
【請求項１】
一対の骨格部からなり、該骨格部が、端部間に連結部を設けて回動自在に蝶着され、かつ、常時開方向に付勢されてなる座部骨格部で、各骨格部が、該連結部側の端部から両側に突出して形成された被係止部を有する座部骨格部と、
該骨格部を上記付勢に抗して合掌状にして収納可能とし、該骨格部を開状態として、正座状態において臀部と下肢部間に配設可能とした支持部で、互いに略平行に設けられた二対の側面部を有し、該骨格部の収納状態において該骨格部と略平行に設けられる一対の側面部は、上端の両側に突出部を有し、該一対の側面部における相対する突出部間には、略五角形形状の柱状を呈する係止部で、１つの角部が下方に突出して該角部を介して一対の傾斜面が設けられている係止部を有する支持部と、
上記連結部による開閉動作に追従可能に形成された載置部であって、該座部骨格部の自由端間に架設させることで、該座部骨格部を展開時に張架状態を形成するように設けられている載置部と、
を有し、
該座部骨格部における一対の骨格部を開状態とした正座用座椅子の使用状態においては、各骨格部における該被係止部が、該支持部の該係止部における該傾斜面に係着した状態となることを特徴とする正座用座椅子。
【請求項２】
一対の骨格部からなり、該骨格部が、端部間に連結部を設けて回動自在に蝶着されてなる座部骨格部で、各骨格部が、該連結部側の端部から両側に突出して形成された被係止部を有する座部骨格部と、
該骨格部を合掌状にして収納可能とし、該骨格部を開状態として、正座状態において臀部と下肢部間に配設可能とした支持部で、互いに略平行に設けられた二対の側面部を有し、該骨格部の収納状態において該骨格部と略平行に設けられる一対の側面部は、上端の両側に突出部を有し、該一対の側面部における相対する突出部間には、略五角形形状の柱状を呈する係止部で、１つの角部が下方に突出して該角部を介して一対の傾斜面が設けられている係止部を有する支持部と、
上記連結部による開閉動作に追従可能に形成された載置部であって、該座部骨格部の自由端間に架設させることで、該座部骨格部を展開時に張架状態を形成するように設けられている載置部と、
を有し、
該座部骨格部における一対の骨格部を開状態とした正座用座椅子の使用状態においては、各骨格部における該被係止部が、該支持部の該係止部における該傾斜面に係着した状態となることを特徴とする正座用座椅子。
【請求項３】
上記座部骨格部が、少なくとも上記連結部を被覆する連結部カバーを有していることを特徴とする請求項１又は２に記載の正座用座椅子。
【請求項４】
上記支持部及び、上記骨格部のどちらか一方、或いは、その両方の壁面が、装飾材にて略被覆されていることを特徴とする請求項１又は２又は３に記載の正座用座椅子。
【請求項５】
上記載置部が、上記座部骨格部より着脱自在に設けられていることを特徴とする請求項１又は２又は３又は４に記載の正座用座椅子。
【発明の詳細な説明】
【０００１】
【発明の属する技術分野】
本発明は、座椅子に関するものであり、特に、正座する場合に用いられる正座用座椅子に関するものである。
【０００２】
【従来の技術】
従来、座椅子、特に、正座する場合に用いられる正座用の座椅子は、臀部と脚部との間に、支持脚を有する座板を背面側より挿入して腰部下部に配置して、そこへ着座するようにして使用するものが見受けられる。これは、正座による足の痺れ等を緩和するための正座の補助具として用いられるものである。
【０００３】
【発明が解決しようとする課題】
しかし、従来の正座用の座椅子は、座部と脚部とが固定された椅子状に形成され、また、連結部と座板とが大柄な部材にて形成されているので、携行して使用するのに不便な場合があった。また、複数の座椅子をまとめて収納する場合においては、座椅子１つ１つが嵩張るので、整然とした収納が困難な場合があった。さらに、座椅子が複数の部材にて形成されているので、組み立てが面倒な場合があった。
【０００４】
そこで、本発明は、携行が容易で、さらに、収納する場所を選ばず、さらには、容易に組み立てることができて至便な正座用座椅子を提供することを目的とするものである。
【０００５】
【課題を解決するための手段】
本発明は上記問題点を解決するために創作されたものであって、第１には、正座用座椅子であって、一対の骨格部からなり、該骨格部が、端部間に連結部を設けて回動自在に蝶着され、かつ、常時開方向に付勢されてなる座部骨格部で、各骨格部が、該連結部側の端部から両側に突出して形成された被係止部を有する座部骨格部と、該骨格部を上記付勢に抗して合掌状にして収納可能とし、該骨格部を開状態として、正座状態において臀部と下肢部間に配設可能とした支持部で、互いに略平行に設けられた二対の側面部を有し、該骨格部の収納状態において該骨格部と略平行に設けられる一対の側面部は、上端の両側に突出部を有し、該一対の側面部における相対する突出部間には、略五角形形状の柱状を呈する係止部で、１つの角部が下方に突出して該角部を介して一対の傾斜面が設けられている係止部を有する支持部と、上記連結部による開閉動作に追従可能に形成された載置部であって、該座部骨格部の自由端間に架設させることで、該座部骨格部を展開時に張架状態を形成するように設けられている載置部と、を有し、該座部骨格部における一対の骨格部を開状態とした正座用座椅子の使用状態においては、各骨格部における該被係止部が、該支持部の該係止部における該傾斜面に係着した状態となることを特徴とする。また、第２には、正座用座椅子であって、一対の骨格部からなり、該骨格部が、端部間に連結部を設けて回動自在に蝶着されてなる座部骨格部で、各骨格部が、該連結部側の端部から両側に突出して形成された被係止部を有する座部骨格部と、該骨格部を合掌状にして収納可能とし、該骨格部を開状態として、正座状態において臀部と下肢部間に配設可能とした支持部で、互いに略平行に設けられた二対の側面部を有し、該骨格部の収納状態において該骨格部と略平行に設けられる一対の側面部は、上端の両側に突出部を有し、該一対の側面部における相対する突出部間には、略五角形形状の柱状を呈する係止部で、１つの角部が下方に突出して該角部を介して一対の傾斜面が設けられている係止部を有する支持部と、上記連結部による開閉動作に追従可能に形成された載置部であって、該座部骨格部の自由端間に架設させることで、該座部骨格部を展開時に張架状態を形成するように設けられている載置部と、を有し、該座部骨格部における一対の骨格部を開状態とした正座用座椅子の使用状態においては、各骨格部における該被係止部が、該支持部の該係止部における該傾斜面に係着した状態となることを特徴とする。
【０００６】
この第１の構成の正座用座椅子においては、支持部が、座部骨格部を収納するための収納部を有しているので、嵩張ることなく容易に携行することができる。また、同様に、支持部の内部に収納部が形成されているので、複数の正座用座椅子をまとめて収納する際に、嵩張ることなく整然と収納することができる。また、座部骨格部に付勢手段が設けられており、該座部骨格部が支持部より取り出されるに連れて自動的に展開するので、極めて容易に組み立てることができる。
また、第２の構成の正座用座椅子においては、座部骨格部に付勢手段が設けられていないのでより安価なものとなしえて、さらに、前記構成１と同様に、支持部が、座部骨格部を収納するための収納部を有しているので、嵩張ることなく容易に携行することができる。また、同様に、支持部の内部に収納部が形成されているので、複数の正座用座椅子をまとめて収納する際に、嵩張ることなく整然と収納することができる。
【０００８】
第３には、上記第１又は２の構成の正座用座椅子であって、上記座部骨格部が、少なくとも上記連結部を被覆する連結部カバーを有していることを特徴とする。この第３の構成の正座用座椅子においては、連結部カバーが連結部を被覆しているので、載置部を挟み込むことなく、安全に着座することができる。
【０００９】
第４には、 上記第１又は２又は３の構成の正座用座椅子であって、上記支持部及び、上記骨格部のどちらか一方、或いは、その両方の壁面が、装飾材にて略被覆されていることを特徴とする。この第４の構成の正座用座椅子においては、支持部及び、骨格部のどちらか一方、或いは、その両方の壁面が、装飾材にて略被覆されているので、見栄えがよく、場所を選ぶことなく使用することができる。
【００１３】
第５には、上記第１又は２又は３又は４の構成の正座用座椅子であって、上記載置部が、上記座部骨格部より着脱自在に設けられていることを特徴とする。この第５の構成の正座用座椅子においては、載置部が座部骨格部より着脱自在に形成されているので、容易に載置部を交換することができ、また、張設状態を任意に選択して使用できる。
【００１４】
【発明の実施の形態】
本発明の実施の形態としての実施例を図面を利用して説明する。本発明に基づく第１実施例としての正座用座椅子Ｃ１は、図１に示すように、支持部１０と、座部２０とから形成されている。すなわち、この正座用座椅子Ｃ１は、正座している状態において、該座部２０に着座するようにして正座を補助するための座椅子である。
【００１５】
ここで、上記正座用座椅子Ｃ１の構成についてさらに詳しく説明すると、上記支持部１０は、概ね木製の部材にて形成されている。この支持部１０は、略板状で所定の厚みを有する複数の部材にて略直方体形状をなすように形成されている。すなわち、この支持部１０は、図１、図２に示すように、前記の略直方体形状をなすように側面部１２と、底面部１４とを有している。
【００１６】
上記側面部１２は、図２に示すように、上記支持部１０の側面、すなわち、Ｚ軸方向に略倒立している４辺を構成している。また、この側面部１２のＺ軸方向の長さは、４辺全てにおいて略同様の長さとなるように形成されている。つまり、この側面部１２のＺ軸方向の長さは、上記正座用座椅子Ｃ１の座椅子としての脚部に相当する部分である。従って、この側面部１２のＺ軸方向の長さは、使用者が正座した状態で正座に適する高さとなるように形成されている。
【００１７】
さらに、上記側面部１２は、第１側面部１２ａと、第２側面部１２ｂと、第３側面部１２ｃと、第４側面部１２ｄとを有していて、かつ、該第１側面部１２ａは、図２に示すように、略コ字状を呈しており、本体部１７ａと、該本体部１７ａより突出している部分に突出部１７ｂとを有している。また、該第３側面部１２ｃは、該第１側面部１２ａと略同様の形状を呈しており、略コ字状を呈している。すなわち、この第３側面部１２ｃは、本体部と、一対の突出部１９ｂとを有している。なお、この第３側面部１２ｃを有する本体部は、該本体部１７ａと同様の外形形状を呈しているので、図による説明を省略する。
【００１８】
上記第２側面部１２ｂは、図２に示すように、Ｙ軸方向に短く、Ｚ軸方向に長い略長方形形状を呈している。また、上記第４側面部１２ｄは、該第２側面部１２ｂと略同様の形状を呈しており、Ｙ軸方向に短く、Ｚ軸方向に長い略長方形形状を呈している。
【００１９】
従って、上記側面部１２は、上記第１側面部１２ａと、第３側面部１２ｃとが略平行に設けられ、上記第２側面部１２ｂと、第４側面部１２ｄとが略平行に設けられた状態で、互いの端部が隙間なく接続されている。これにより、該側面部１２は、略長方形形状の外形を呈する略中空体状をなしている。
【００２０】
さらに、上記底面部１４は、上記側面部１２のＺ軸方向の一方の面、すなわち、上記第１側面部１２ａの突出部１７ｂの設けられている面とは反対の側の面に設けられている。すなわち、この底面部１４は、板状を呈しており、上記第１側面部１２ａのＸ軸方向の長さと略同等で、上記第２側面部１２ｂのＹ軸方向の長さと略同等の略長方形形状を呈している。これにより、該底面部１４は、該第１側面部１２ａの本体部１７ａの側の端部と、第２側面部１２ｂの端部と、上記第３側面部１２ｃの本体部１９ａの側の端部と、第４側面部１２ｄの端部とに隙間なく接続されている。
【００２１】
また、上記側面部１２と、底面部１４とを組み合わせて形成された略直方体形状の箱の内部には、図２、図３（ａ）、（ｂ）に示すように、収納部１６が形成される。この収納部１６は、上記座部２０を収納する目的を有している。
【００２２】
ここで、上記支持部１０のＺ軸方向の一方の面、すなわち、上記底面部１４の形成されている面とは反対側の面には、図２、図３（ａ）に示すように、開口部１１が設けられている。この開口部１１は、上記収納部１６を開口して形成されている。また、この開口部１１は、上記座部２０を該収納部１６へ収納するために設けられている。また、この開口部１１のＸ軸方向の両端部、すなわち、該第２側面部１２ｂと、第４側面部１２ｄとのＺ軸方向のそれぞれの端部の該開口部１１の側には、一対の係止部１３が設けられている。
【００２３】
さらに、上記一対の係止部１３は、第１係止部１３ａと、第２係止部１３ｂとからなり、上記第２側面部１２ｂの側に第１係止部１３ａ、上記第４側面部１２ｄの側に第２係止部１３ｂがそれぞれ設けられている。
【００２４】
また、上記第１係止部１３ａと、第２係止部１３ｂとは、互いに略同様の外形を呈している。ここで、上記係止部１３の形成状態について、該第２係止部１３ｂを例にして説明すると、該第２係止部１３ｂは、図３（ｂ）に示すように、略五角柱形状を呈している。また、図２に示すように、この第２係止部１３ｂのＸ軸方向の幅は、上記第１側面部１２ａの一方の突出部１７ｂのＸ軸方向の幅と略同様の幅となるように形成されている。
【００２５】
また、上記第１係止部１３ａは、図２に示すように、上記第２側面部１２ｂの形成されている側であって、上記第１側面部１２ａの突出部１７ｂと、上記第３側面部１２ｃの突出部１９ｂとの間隔部分に互いに隙間なく略嵌合されている。
【００２６】
さらに、該第２係止部１３ｂは、該第１係止部１３ａの形成されている位置とは、Ｘ軸方向の対向する位置、すなわち、上記第４側面部１２ｄの形成されている側の該第１側面部１２ａの突出部１７ｂと、該第３側面部１２ｃの突出部１９ｂとの間隔部分に隙間なく略嵌合されている。この時、該第１係止部１３ａと、第２係止部１３ｂとを形成している前記の五角柱形状をなす角の１つは、図２、図３（ｂ）に示すように、Ｚ軸方向へ突出するように設けられている。なお、該一対の係止部１３は、該座部２０の展開動作によって、所定の衝撃及び、圧力を受ける部材であるので、なるべくならば上記支持部１０と略一体に形成する等して、該支持部１０から脱落しないように設けられるのが好ましい。
【００２７】
次に、上記座部２０は、図１に示すように、座部骨格部２２と、載置部２４とを有している。すなわち、この座部２０は、該座部骨格部２２と、載置部２４とを組み合わせることにより、上記正座用座椅子Ｃ１の着座する部分をなしている。この座部骨格部２２は、図４に示すように、第１骨格部２６と、第２骨格部２８と、連結部３０とを有していて、該第１骨格部２６と、第２骨格部２８とは、略板状の木製部材にてそれぞれ形成されており、Ｘ軸及び、Ｙ軸方向の長さが、略同一寸法となるように形成されている。しかし、この第１骨格部２６と、第２骨格部２８とは、部分的に異なる形状を呈しているので、以下説明する。
【００２８】
上記第１骨格部２６は、図４に示すように、被連結部２６ａと、被係止部２６ｂとを有している。また、該第２骨格部２８は、該第１骨格部２６と同様に、被連結部２８ａと、被係止部２８ｂとを有している。
【００２９】
上記被連結部２６ａは、上記第１骨格部２６の一辺の端部に形成されており、咬合凸部２３ａと、固定用具取付部２３ｂとを有している。また、上記被連結部２８ａは、上記第２骨格部２８の一辺の端部に形成されており、咬合凹部２７ａと、固定用具取付部２７ｂとを有している。
【００３０】
上記咬合凸部２３ａと、咬合凹部２７ａとは、図４、図５に示すように、上記連結部３０により連結されている状態において、該連結部３０を支点として該第１骨格部２６と、第２骨格部２８とが所定の位置まで回動されると、それぞれの凹凸部分が略咬合する形状を有している。つまり、この咬合凸部２３ａと、咬合凹部２７ａとは、略咬合状態を形成することにより、該第１骨格部２６と、第２骨格部２８とが、必要以上に展開することを抑止する機能を有している。
【００３１】
上記固定用具取付部２３ｂと、固定用具取付部２７ｂにおいて、図４、図５に示すように、螺子等の固定具Ｂにより、上記第１骨格部２６と、第２骨格部２８とを上記連結部３０を介して互いに連結するために設けられている。
【００３２】
上記被係止部２６ｂは、図４に示すように、上記被連結部２６ａの設けられている辺のＸ軸方向の両端部に設けられており、それぞれＸ軸方向に略突出するように一対形成されている。また、この被係止部２６ｂのＺ軸方向の一辺、すなわち、上記連結部３０の配設される面と反対の側は、図４、図５に示すように、所定の角度に略斜設されている。さらに、この被係止部２６ｂ間のＸ軸方向の幅は、上記支持部１０の内側のＸ軸方向（図２参照）の幅から、該支持部１０の内側に設けられている上記一対の係止部１３のＸ軸方向の幅までの間の長さとなるように形成されている。すなわち、この被係止部２６ｂは、該第１骨格部２６を該支持部１０から取り出す際に、上記座部２０が、該支持部１０から脱落してしまうことを防止するために形成されている。
【００３３】
また、上記第２骨格部２８に形成されている被係止部２８ｂは、図４に示すように、上記第１骨格部２６に形成されている被係止部２６ｂと略同様に、Ｘ軸方向にそれぞれ略突出するように一対形成されている。また、この被係止部２８ｂのＺ軸方向の一辺、すなわち、上記連結部３０の配設される面と反対の側は、図４、図５に示すように、所定の角度に略斜設されている。また、この被係止部２８ｂは、該第１骨格部２６に設けられている被係止部２６ｂとは異なる形状を呈している。すなわち、この被係止部２８ｂのＹ軸方向の幅は、該第１骨格部２６の被係止部２６ｂのＹ軸方向の幅より広めに形成されている。これは、該第１骨格部２６と、第２骨格部２８とが、上記連結部３０を支点として所定の角度に展開される際に、該被係止部２６ｂと被係止部２８ｂとを、Ｘ軸方向より視認すると略Ｖ字状をなすように互いに当接させるためである。
【００３４】
次に、上記連結部３０は、図４、図５に示すように、上記第１骨格部２６と、第２骨格部２８とを連結するために設けられている。すなわち、この連結部３０は、固定部３０ａと、軸部３０ｂと、付勢部３０ｃとを有していて、さらに、略翼状を呈しており、上記固定用具取付部２３ｂで固定されるための第１固定部３１ａと、上記固定用具取付部２７ｂで固定されるための第２固定部３１ｂとを有している。すなわち、この固定部３０ａと、固定用具取付部２３ｂ、２７ｂとは、図４に示すように、螺子等の固定具Ｂにてそれぞれ固定されている。
【００３５】
上記軸部３０ｂは、図４に示すように、上記連結部３０の可動手段の軸となる部分を形成している。つまり、該第１骨格部２６と、第２骨格部２８とは、該軸部３０ｂを支点としてそれぞれ略翼状に可動するように接続されていて、また、上記付勢部３０ｃには、ねじりコイルバネが用いられており、上記軸部３０ｂを、略包囲するように設けられている。この付勢部３０ｃは、ねじりコイルバネのねじり方向の復元力を利用して、上記第１骨格部２６と、第２骨格部２８とを所定の展開方向に付勢させる作用を有している。なお、この付勢部３０ｃに用いられているバネは、上記座部骨格部２２の開閉動作を付勢するものであれば、板状バネ等の他の付勢手段にて形成されていてもよい。
【００３６】
上記載置部２４は、所定の伸縮性と、抗張力とを有する布状部材等にて形成されている。この載置部２４は、図１に示すように、上記第１骨格部２６と、第２骨格部２８とのＹ軸方向の互いの自由端間を張架するように配設されている。この載置部２４は、使用者が着座する際に臀部を保持する目的を有している。
【００３７】
また、この載置部２４のＸ軸方向の幅は、該第１骨格部２６や第２骨格部２８と略同等に形成されている。また、該載置部２４のＹ軸方向の長さは、図１に示すように、該第１骨格部２６と、第２骨格部２８とが展開状態を形成している状態において、該第１骨格部２６と、第２骨格部２８とが、所定の展開角度以上に展開しないようにする機能を有している。すなわち、この載置部２４は、使用者が上記座部２０に着座した場合であっても、該載置部２４と、上記連結部３０との間に所定の隙間を形成可能な程度の緊張状態を呈する長さに形成されている。なお、該載置部２４は、所定の伸縮性と、抗張力とを同時に有する材質のものであれば、合成樹脂製の部材等にて形成されていてもよい。
【００３８】
次に、本実施例の正座用座椅子Ｃ１の使用状態について、図面を利用して説明する。この、正座用座椅子Ｃ１は、主に、室内にて正座する際に用いられるものである。特に、この正座用座椅子Ｃ１は、軽量で小型に形成されており、携行に適しているので、例えば、冠婚葬祭や、茶、華道若しくは、楽器演奏等の正座を必要とするような行事等に出席しなければならない時に、この正座用座椅子Ｃ１を持参して使用する。
【００３９】
さらに、上記正座用座椅子Ｃ１の携行時には、図９に示すように、上記支持部１０に上記座部２０が収納されている。ここで、該正座用座椅子Ｃ１を組み立てるには、図１０に示すように、該座部２０をＺ軸方向へ引き抜くようにして該支持部１０より取り出す。該座部２０は、該支持部１０より取り出すと、図３、図４に示す上記座部骨格部２２の被係止部２６ｂ、被係止部２８ｂが、それぞれ上記第１係止部１３ａ、第２係止部１３ｂまで到達すると、それ以上引き抜けない状態となる。つまり、該第１係止部１３ａを例にして説明すると、図５に示すように、該座部骨格部２２が展開されて被係止部２６ｂと、被係止部２８ｂとが互いに当接すると同時に、該第１係止部１３ａと、該座部骨格部２２とが当接する位置に配設されている。該第１係止部１３ａは、該座部骨格部２２の展開方向への付勢力に抗することで、該座部骨格部２２を該支持部１０より脱落させないように係止する機能を有している。ここで、該支持部１０を保持している方の手を離して、上記第１骨格部２６と、第２骨格部２８とを両手で保持するように持ち替えて、手の力を序々に弱める。すると、該座部２０は、図１１に示すように、Ｙ軸方向に自動的に展開すると共に、載置部２４もこれに追従して序々に展開されていく。すると、該載置部２４は、図１に示すように、Ｙ軸方向に最も緊張した状態で固定される。
【００４０】
次に、上記正座用座椅子Ｃ１は、図１５（ａ）、（ｂ）に示すように、展開された上記載置部２４に臀部を載置するようにして使用される。すなわち、該正座用座椅子Ｃ１を使用するには、まず、使用者が正座した状態から中腰となるように腰部を浮かせて、臀部と、脚部との間に空間を形成させる。次に、該正座用座椅子Ｃ１を、図１５（ａ）、（ｂ）に示すように、臀部と脚部との間に挿入して両足の間、すなわち、腰部下部の所定位置に配置させる。ここで、上記支持部１０のＸ軸方向の中心が、図１５（ｂ）に示すように、使用者の脊椎の正中線Ｌとほぼ重なる位置に配置されたら、臀部を該載置部２４に載置するようにして着座する。
【００４１】
また、上記載置部２４は、使用開始持には、良好な使用感を得ることができる。しかし、上記正座用座椅子Ｃ１を繰り返し使用すると、使用者の体重で該載置部２４の緊張状態が序々に弛緩してしまうことが考えられる。これを解消するために、該載置部２４は、座部骨格部２２より取り外して未使用のものと交換可能に配設されている。すなわち、該座部骨格部２２のＹ軸方向の両端部には、図１に示すように、該載置部２４を該座部骨格部２２に配設するための固定用クリップ２１ａが設けられている。
【００４２】
上記固定用クリップ２１ａは、図６（ａ）に示すように、断面形状を鉛直辺２１１ａと、一対の嵌装辺２１２ａ、２１３ａとで略コ字状に形成されていて、かつ、該嵌装辺２１２ａを鉛直辺２１１ａから鋭角に折曲延設し、さらに、これらを嵌合可能に図示略の前記第１骨格部２６と、第２骨格部２８の自由端の座部骨格部２２を開状態にした際の下側になる位置に、先端側が浅く、連結部側が深い勾配で凹条状の係着部２８１ｃを形成し、上記図６（ａ）に示すように、載置部２４の両先端部を前記固定用クリップ２１ａの嵌装辺２１２ａの先端に巻回し、ついで、該嵌装辺２１２ａと鉛直辺２１１ａの壁面に接着剤Ｓで接着し、前記第１骨格部２６と、第２骨格部２８の前記係着部２８１ｃに嵌着し得るようになっている。また、載置部２４が布製の場合の損傷等を防止するべく、とりわけ嵌装辺２１２ａと、コ字状の角部及び係着部２８１ｃの角部に丸みを有して形成されている。
【００４３】
なお、前記係着部２８１ｃと、係着部２６１ｃとは、支持部１０に対象で同一であり、かつ、これらは、図４、図５に示す如く配設されている。
【００４４】
次に、上記固定用クリップ２１ａと異なる固定用クリップ２１ｂの実施例について説明する。
【００４５】
上記固定用クリップ２１ｂは、図６（ｂ）に示すように、断面形状を鉛直辺２１１ｂと一対の嵌装辺２１２ｂ、２１３ｂとで略コ字状に形成されていて、かつ、該嵌装辺２１２ｂは他の嵌装辺２１３ｂに向けてくの字状に前記鉛直辺２１１ｂから折曲延設し、さらに、該嵌装辺２１２ｂの先端に長手方向に任意数の突状部２１４が設けられている。また、第１骨格部２６と、第２骨格部２８のそれぞれの自由端近傍には、座部骨格部２２を開状態にした際の下側になる位置に先端側が浅く、連結部側が深い勾配でなる凹条状の係着部２８２ｃを形成し、上記図６（ｂ）に示すように、載置部２４の両先端部を前記固定用クリップ２１ｂの嵌装辺２１２ｂの先端に巻回し、さらに、前記係着部２８２ｃに嵌着して図示略の座部骨格部２２の第１骨格部２６と、第２骨格部２８が展開し載置部２４を張設して、該載置部２４に荷重をかけた状態でも抜脱しないよう強固に嵌着し得るようになっている。
【００４６】
なお、前記係着部２８２ｃと、係着部２６２ｃ（図示省略）とは、支持部１０に対象で同一に形成されている。
【００４７】
さらに、固定用クリップ２１ａ、２１ｂは、座部骨格部２２の両端に嵌着し、載置部２４に荷重をかけた状態で抜脱したり、折損しないように保持可能な強度を有して形成し得る材質であれば、ステンレススチールに限らず、強化プラスチック等の合成樹脂や、アルミニウム材等で形成し、また、第１骨格部２６、第２骨格部２８の嵌着形状も上記実施例に限定されるものではない。
【００４８】
また、より安価で簡略な構成とすべく、前記第１骨格部２６、第２骨格部２８へ載置部２４を固着する場合に、図１７（ａ）に示すように、前記固定用クリップ２１ａ、２１ｂ等を介さずに、前記第１骨格部２６、第２骨格部２８の端部に沿って載置部２４の両端を折曲したり、また、袋状にして、載置部２４の端面に任意の釘Ｋを打ち込んで固定するようにしてもよい。或いは、図１７（ｂ）に示すように、板材Ｐを介して、さら頭ねじＮによって締結するようにしてもよい。さらに、丸・平・丸平頭のねじや六角ボルトで固着機能を有する任意のものでよく、また、リベット、接着剤などの他の固定部材で載置部２４を止着するようにしてもよい。
さらに、この固着部材を抜き差し可能に形成したり、載置部２４の端部を任意に折曲して、前記第１骨格部２６、第２骨格部２８へ固着部材を介して直接止着し、さらに、該固着部材を抜き差しして、必要により載置部２４を交換可能としてもよい。この必要により載置部２４を交換可能とした場合には、使用する部屋の雰囲気等に合わせて、生地、柄（模様）を任意に選択することが可能となるため、より付加価値の高い正座用座椅子Ｃ１とすることができる。
【００４９】
第１実施例の正座用座椅子Ｃ１によれば、本体自体が小型の箱状に形成されているので、鞄等に入れて容易に携行することができる。また、支持部１０が略直方体形状に形成されているので、場所を選ばず容易に収納することができる。
【００５０】
また、載置部２４が固定用クリップ２１ａにて取り付けられているので、座部骨格部２２からの脱着を容易に行うことができる。
【００５１】
また、支持部１０には、第１係止部１３ａと、第２係止部１３ｂとが形成され、座部２０には、被係止部２６ｂと、被係止部２８ｂとがそれぞれ形成されているので、座部２０が支持部１０から脱落することなく、容易に展開及び収納することができる。
【００５２】
また、付勢部３０ｃが設けられているので、支持部１０から座部２０を取り出して展開する際に、この座部２０が自動的に展開するので、速やかに使用可能な状態にすることができる。また、同様に、付勢部３０ｃが設けられているので、携行時に支持部１０に収納されている座部２０が支持部１０と接触することにより発生する振動音を低減することができる。さらに、付勢部３０ｃが設けられているので、座部２０が支持部１０から勝手に脱落してしまうことを未然に防止することができる。なお、より簡略で安価な構成とすべく、図１６に示すように、上記実施例において上記付勢部３０ｃが設けられていない連結部３００とすることも可能である。この場合には、支持部１０から座部骨格部２２を取り出して展開する際に、この座部骨格部２２が自動的には展開しないので、軸部３００ｂを中心に固定部３００ａを回動させて、人手によって展開させて使用可能な状態とする必要がある。
【００５３】
また、正座用座椅子Ｃ１は、使用時において、支持部１０と、使用者自身の下肢との３点にて支持されるので、安定感のある使用状態を得ることができる。
【００５４】
次に、第２実施例としての正座用座椅子Ｃ２について、図面を利用して説明する。この正座用座椅子Ｃ２は、上記の第１実施例の正座用座椅子Ｃ１と概ね同様の構成にて形成されており、図７に示すように、支持部１０と、座部２０とを有している。しかし、この正座用座椅子Ｃ２は、該正座用座椅子Ｃ１とは、所定の部分において異なる構成を有しているので、その点について以下説明する。なお、本実施例における正座用座椅子Ｃ２は、概ね第１実施例の正座用座椅子Ｃ１と同様の構成にて形成されているので、重複する部分についての説明を省略することとする。
【００５５】
ここで、上記正座用座椅子Ｃ２についてさらに詳しく説明すると、上記支持部１０と、上記座部２０の有する座部骨格部２２とは、概ね木製の板部材等にて形成されている。なお、該支持部１０は、所定の強度を有する材質であれば、金属製の部材若しくは、合成樹脂製の部材等のその他の材質の部材にて形成されていてもよい。さらに、該正座用座椅子Ｃ２は、携行して使用されることを前提としている点においても、軽量で携帯性に優れたステンレス薄板やアルミニウム材等の金属製の部材や、強化プラスチック等の合成樹脂製の部材にて形成されるのが好ましい。特に、金属製の部材とした場合には、剛性が高い分さらに薄型化、小型化を図ることができるため、ポケット収納などの携帯が容易となる。
【００５６】
次に、上記支持部１０や座部骨格部２２の外周の略全体には、図７、図８に示すように、装飾材１５が設けられている。この装飾材１５は、所定の布製部材等にて形成されており、該支持部１０及び座部骨格部２２の外側の側の表面を略包囲するように形成されている。この装飾材１５は、該正座用座椅子Ｃ２を室内において使用する際、該支持部１０等を形成する木材や金属部材等の露出を被覆することで、この下地部材を目立たなくするために形成されている。なお、この装飾材１５は、蒔絵等の塗装若しくは、合成樹脂製の化粧板等、使用される状況に適した素材にて形成されているのが好ましい。
【００５７】
また、上記連結部３０の上面には、図７、図８に示すように、連結部カバー３２が設けられている。この連結部カバー３２は、上記座部骨格部２２の上面に設けられており、この座部骨格部２２の開閉運動に追従するような布製若しくは、合成樹脂製のシート等にて形成されている。この連結部カバー３２は、上記連結部３０が上記載置部２４を挟み込まないようにするために形成されている。また、この連結部カバー３２は、該連結部３０を外側から見え難くして、全体的な見栄えをよくするために形成されている。
【００５８】
なお、上記連結部カバー３２は、本実施例のみに限らず前記第１実施例において使用されていてもよい。
【００５９】
ここで、上記第２実施例の正座用座椅子Ｃ２の使用状態については、上記第１実施例の正座用座椅子Ｃ１と概ね同様の使用状態を呈するので、重複する部分の説明を省略することとする。
【００６０】
第２実施例の正座用座椅子Ｃ２によれば、支持部１０と、座部骨格部２２とが木材板若しくは金属板若しくは合成樹脂板等にて形成されているので、所定の強度を保持するとともに、携行し易いように小型で軽量に形成することができる。また、この支持部１０や座部骨格部２２の外側面には、装飾材１５が設けられているので、該正座用座椅子Ｃ２を使用する場所に適した装飾を施すことにより場の雰囲気に馴染ませることができる。
【００６１】
また、連結部３０の上面には、連結部カバー３２が設けられているので、使用者が正座用座椅子Ｃ２に着座しても、連結部３０と、載置部２４とが接触することなく安心して使用することができる。
【００６２】
また、この正座用座椅子Ｃ２は、支持部１０や座部骨格部２２が略箱状に形成されているので、蒔絵等の漆塗り或いは、化粧板等の装飾材１５を容易に施すことができる。すなわち、正座用座椅子Ｃ２は、冠婚葬祭や、茶、華道若しくは、楽器演奏等の正座を必要とするような行事の席にて使用される場合であっても、場の雰囲気に馴染み易い形状を呈しており、蒔絵等の漆塗り装飾を周囲の雰囲気に合わせて施すことができるので、調度品的な感覚で気軽に使用することができる。
【００６３】
次に、第３実施例としての正座用座椅子Ｃ３について、図面を利用して説明する。この正座用座椅子Ｃ３は、上記の正座用座椅子Ｃ１等と同様に、正座を補助するための座椅子である。すなわち、この正座用座椅子Ｃ３は、図１２に示すように、支持部１０と、座部２０とを有している。しかし、該正座用座椅子Ｃ３は、該正座用座椅子Ｃ１とは、構成している部材の形状や、組み立て方法において異なる点を有しているので、それについて以下説明する。
【００６４】
ここで、上記正座用座椅子Ｃ３の構成についてさらに詳しく説明すると、上記支持部１０は、所定の厚みを有し、略板状を呈する木製部材にて形成されている。また、この支持部１０は、図１２に示すように、Ｙ軸方向の一方の面に、突起部１８を有している。これに加えて、該突起部１８の形成されている面には、第２連結部３６の一方の固定部が取り付けられている。また、該支持部１０の上記座部２０と接する側の端部には、図１２に示すように、凹条状の係着部２６１ｃ、２８１ｃが形成されている。
【００６５】
上記座部２０は、座部骨格部２２と、載置部２４とを有している。該座部骨格部２２と、載置部２４とは、上記正座用座椅子Ｃ１等と略同様の形状を呈している。すなわち、該座部骨格部２２は、図１２に示すように、第１骨格部２６と、第２骨格部２８とを有しており、該載置部２４は、該第１骨格部２６と、第２骨格部２８のそれぞれの自由端側に固定されている。
【００６６】
上記連結部３０は、第１連結部３４と、第２連結部３６と、固定用金具３８とからなり、該第１骨格部２６と、第２骨格部２８とは、第１連結部３４で連結されており、また、上記支持部１０と、該第２骨格部２８とは、該第２連結部３６で連結されている。
【００６７】
上記固定用金具３８は、針金状の金属製部材にて形成されている。また、この固定用金具３８は、図１２、図１３に示すように、上記支持部１０の形状に合わせて略コ字状に折曲されている。すなわち、この固定用金具３８は、固定部３８ａと、回動支持部３８ｂとを有している。
【００６８】
上記固定部３８ａは、図１２に示すように、上記支持部１０に設けられている突起部１８と略係着可能な形状を呈している。すなわち、この固定部３８ａは、図１４（ｃ）に示すように、該突起部１８に係着させることで、該支持部１０と、座部骨格部２２との回動自在な状態を固定するために形成されている。
【００６９】
また、上記回動支持部３８ｂは、図１３に示すように、上記固定用金具３８の両端部に一対形成されており、所定の開口部を有するリング状形状を呈している。この回動支持部３８ｂの開口部は、螺子等の固定具Ｂ´が挿通可能に形成されている。ここで、該回動支持部３８ｂに挿通された該固定具Ｂ´は、さらに、上記第１骨格部２６のＸ軸方向の両端の所定位置に軸着されている。つまり、該回動支持部３８ｂは、該固定用金具３８を該第１骨格部２６に回動自在に固定するために設けられている。
【００７０】
次に、上記第３実施例の正座用座椅子Ｃ３の使用状態について図面を利用して説明する。この正座用座椅子Ｃ３は、前記の第１実施例等とは異なる形状を呈しており、組み立て方法等も大きく異なるので、それについて以下説明する。
【００７１】
上記正座用座椅子Ｃ３は、上記の正座用座椅子Ｃ１等とは、異なる形状を呈する部材にて形成されているので、組み立て手順も異なる。すなわち、この正座用座椅子Ｃ３は、図１３に示すように、合掌状に収納されている。ここで、図１４（ａ）に示すように、第１骨格部２６と、第２骨格部２８とをそれぞれ左右の手に持ち、互いに反対方向へ展開させる。すると、この座部骨格部２２は、載置部２４の最も緊張する位置であって、該座部骨格部２２の該載置部２４の設けられている側とは反対側の端部が互いに接する位置まで展開されて固定される。
【００７２】
次に、図１４（ｂ）に示すように、支持部１０を該第２骨格部２８から離れる方向へ展開させる。すると、該支持部１０は、該第１骨格部２６と、第２骨格部２８の接する点を保持する位置まで展開されて固定される。この時、該支持部１０と、載置部２４とをＸ軸方向（図１２参照）より視認すると、略直角となるように形成されている。ここで、図１４（ｃ）に示すように、固定用金具３８の固定部３８ａを該支持部１０に設けられている突起部１８に係止させることにより（図１２参照）、該支持部１０と、座部骨格部２２とを固定すると、座椅子として使用可能な状態となる。
【００７３】
また、この正座用座椅子Ｃ３を収納する際には、該固定用金具３８の固定部３８ａを該突起部１８から取り外して、支持部１０と、座部骨格部２２とを展開時とは逆の手順で収納する。
【００７４】
本実施例の正座用座椅子Ｃ３によれば、支持部１０と、座部骨格部２２とが、木材板若しくは金属板若しくは合成樹脂板等にて小型に形成されているので、鞄等に入れて容易に携行することができる。
【００７５】
また、支持部１０が、固定用金具３８にて固定されているので、安定した使用状態を得ることができる。
【００７６】
さらに、支持部１０や座部骨格部２２等の主要な骨格部材が、木材板若しくは合成樹脂板等にて形成されているので、容易に加工形成することができる。
【００７７】
また、載置部２４が、固定用クリップ２１ａにて着脱自在に固定されているので、容易に未使用の部材と取り換えることができる。
【００７８】
なお、本実施例に配設されている載置部２４は、上記固定用クリップ２１ａに限らず、上記第１実施例にて説明したように固定用クリップ２１ｂ若しくは該載置部２４の端部を袋状にして、第１、第２骨格部２６、２８の端部に掛着するように形成する等の配設方法で実施してもよい。
【００７９】
【発明の効果】
本発明に基づく請求項１に記載の正座用座椅子によれば、支持部が、座部骨格部を収納するための収納部を有しているので、嵩張ることなく容易に携行することができる。また、同様に、支持部の内部に収納部が形成されているので、複数の正座用座椅子をまとめて収納する際に、嵩張ることなく整然と収納することができる。また、座部骨格部に付勢手段が設けられており、該座部骨格部が支持部より取り出されるに連れて自動的に展開するので、極めて容易に組み立てることができる。
また、請求項２によれば、座部骨格部に付勢手段が設けられていないのでより安価なものとなしえて、さらに、前記請求項１と同様に、支持部が、座部骨格部を収納するための収納部を有しているので、嵩張ることなく容易に携行することができる。また、同様に、支持部の内部に収納部が形成されているので、複数の正座用座椅子をまとめて収納する際に、嵩張ることなく整然と収納することができる。
【００８１】
また、請求項３によれば、連結部カバーが連結部を被覆しているので、載置部を挟み込むことなく、安全に着座することができる。
【００８２】
また、請求項４によれば、支持部及び、骨格部のどちらか一方、或いは、その両方の壁面が、装飾材にて略被覆されているので、見栄えがよく、場所を選ぶことなく使用することができる。
【００８６】
また、請求項５によれば、載置部が座部骨格部より着脱自在に形成されているので、容易に載置部を交換することができる。
【図面の簡単な説明】
【図１】本発明の第１実施例に基づく正座用座椅子の要部が展開した状態を示す斜視図である。
【図２】本発明の第１実施例に基づく正座用座椅子の要部の構成を示す斜視図である。
【図３】本発明の第１実施例に基づく正座用座椅子の要部の構成を示す図であり、図３（ａ）は、図２に示すＶ１−Ｖ１線における断面図、図３（ｂ）は、図２に示すＶ２−Ｖ２線における断面図である。
【図４】本発明の第１実施例に基づく正座用座椅子の要部の構成を示す斜視図である。
【図５】本発明の第１実施例に基づく正座用座椅子の要部の構成を示す斜視図である。
【図６】本発明の第１実施例に基づく正座用座椅子の要部の構成を示す図であり、図６（ａ）は、図５に示すＶ３−Ｖ３線における断面図、図６（ｂ）は、他の実施例を示す断面図である。
【図７】本発明の第２実施例に基づく正座用座椅子の要部が展開した状態を示す斜視図である。
【図８】本発明の第２実施例に基づく正座用座椅子の要部の構成を示す図であり、図７に示すＶ４−Ｖ４線における断面図である。
【図９】本発明の第１及び、第２実施例に基づく正座用座椅子の組み立て手順を示す斜視図である。
【図１０】本発明の第１及び、第２実施例に基づく正座用座椅子の組み立て手順を示す斜視図である。
【図１１】本発明の第１及び、第２実施例に基づく正座用座椅子の組み立て手順を示す斜視図である。
【図１２】本発明の第３実施例に基づく正座用座椅子の要部が展開した状態を示す斜視図である。
【図１３】本発明の第３実施例に基づく正座用座椅子の要部が収納した状態を示す斜視図である。
【図１４】本発明の第３実施例に基づく正座用座椅子の組み立て手順を示す側面図である。
【図１５】本発明の第１及び、第２並びに第３実施例に基づく正座用座椅子の使用状態を示す図であり、図１５（ａ）は、使用者の側方より視認した側面図、図１５（ｂ）は、使用者の後方より視認した側面図である。
【図１６】付勢部が設けられてない例における正座用座椅子の要部の構成を示す斜視図である。
【図１７】（ａ）載置部を釘によって固定する例を示す断面図、（ｂ）載置部をさら頭ねじによって固定する例を示す断面図である。
【符号の説明】
Ｃ１、Ｃ２、Ｃ３  正座用座椅子
１０  支持部
１２  側面部
１３  係止部
１４  底面部
１５  装飾材
１６  収納部
１７ｂ、１９ｂ  突出部
１８  突起部
２０  座部
２１ａ、２１ｂ  固定用クリップ
２２  座部骨格部
２４  載置部
２６  第１骨格部
２８  第２骨格部
３０、３００  連結部
３２  連結部カバー
３４  第１連結部
３６  第２連結部
３８  固定用金具
【図１】
0003735085.tif 000002
【図２】
0003735085.tif 000003
【図３】
0003735085.tif 000004
【図４】
0003735085.tif 000005
【図５】
0003735085.tif 000006
【図６】
0003735085.tif 000007
【図７】
0003735085.tif 000008
【図８】
0003735085.tif 000009
【図９】
0003735085.tif 000010
【図１０】
0003735085.tif 000011
【図１１】
0003735085.tif 000012
【図１２】
0003735085.tif 000013
【図１３】
0003735085.tif 000014
【図１４】
0003735085.tif 000015
【図１５】
0003735085.tif 000016
【図１６】
0003735085.tif 000017
【図１７】
0003735085.tif 000018